(57)【特許請求の範囲】
【請求項１】
操作部（２０）を有するとともにメールを送信できる電話器であって、
前記操作部への操作に応じて、前記メールの宛先として電話番号を設定する設定手段（２２０）と、
前記設定手段により前記電話番号を設定された状態で、前記電話番号を宛先とする電話の発信、及び前記電話番号を宛先とする前記メールの送信の双方のいずれか一方を前記操作部への操作に応じて選択する選択手段（２３０）とを有することを特徴とする電話器。
【発明の詳細な説明】
【０００１】
【発明の属する技術分野】
本発明は、携帯電話、ＰＨＳ等の電話器に関し、特に、メールを送信できる電話器に関する。
【０００２】
【従来の技術】
従来、携帯電話においては、メールを作成送信する場合には、以下のような手順で行われていた。▲１▼先ず、所定キーへの操作に基づいて、メール作成送信機能（以下、メーラーという）の動作を開始させる。▲２▼その後、アドレス帳機能の動作を開始させて、アドレス帳から宛先の電話番号を選択し、▲３▼メール作成送信機能でのメッセージを作成し、▲５▼送信する。
【０００３】
【発明が解決しようとする課題】
しかしながら、上述した電話器では、アドレス帳機能を動作させて宛先の電話番号を表示パネルに表示させた状態で、使用者が宛先データを閲覧しているとき、当該宛先の電話番号を宛先として電話の発信を行うには、表示パネルに宛先データを表示させているにも関わらず、メーラーを停止させて、改めて、所定キーへの操作に基づいて、宛先の電話番号を入力する必要があった。
【０００４】
本発明は、上記点に鑑み、メールの宛先として設定された電話番号を宛先として電話の発信を行うようにした電話器を提供することを目的とする。
【０００５】
【課題を解決するための手段】
本発明は、上記目的を達成するために、請求項１に記載の発明では、操作部（２０）を有するとともにメールを送信できる電話器であって、操作部への操作に応じて、メールの宛先として電話番号を設定する設定手段（２２０）と、設定手段により電話番号を設定された状態で、電話番号を宛先とする電話の発信、及び電話番号を宛先とするメールの送信の双方のいずれか一方を操作部への操作に応じて選択する選択手段（２３０）とを有することを特徴とする。これにより、設定手段（２２０）によってメールの宛先として電話番号を設定した後であっても、この設定された電話番号に基づいて電話の発信を行うことができるので、電話の発信の為の操作性を向上することができる。
【０００６】
因みに、上記各手段の括弧内の符号は、後述する実施形態に記載の具体的手段との対応関係を示す一例である。
【０００７】
【発明の実施の形態】
（第１実施形態）
図１に本発明の携帯電話の実施形態を示す。図１は携帯電話の正面図で、図１において、携帯電話は、ケース１０、キー操作部２０、及び表示部３０から構成されている。
【０００８】
キー操作部２０は、ケース１０の正面ケース部１１に配設され、キー操作部２０は、十字キー２１ａ〜２１ｄ、セットキー（Ｓ）２２、ファンクションキー（Ｆ）２３、送信（電源）キー２４、テンキー（文字・数字キー）２５ａ〜２５ｈ、２５ｊ、２５ｋ、その他のキー２６ａ〜２６ｅから構成されている。十字キー２１ａ〜２１ｄは、上向きキー２１ａ、下向きキー２１ｂ、右向きキー２１ｃ及び左向きキー２１ｅから成る。表示部３０は、液晶パネルであって、ケース１０の正面ケース部１１に形成された開口部１２の内側に配置されて、各種情報を表示する。
【０００９】
次に、携帯電話の電気回路構成につき図２を参照して説明する。図２は携帯電話の概略構成を示すブロック図である。図２において、携帯電話は、マイク４０、レシーバ５０、音声処理部６０、無線部７０、アンテナ８０、メモリ９０、及び制御部１００が設けられている。
【００１０】
マイク（送話部）４０は、使用者（ユーザー）の音声を送話音声信号に変換し音声処理部６０に出力する。レシーバ（受話部）５０は、音声処理部６０からの受話音声信号に基づいて、通話相手からの受話音声を出力する。音声処理部６０は、制御部１００により制御されて、無線部６０からの復調信号を受話音声信号に変換してレシーバ５０から出力させる一方、マイク４０からの送話音声信号を送信信号に変換し無線部７０に出力する。また、音声処理部６０は、制御部１００により制御されて、音楽信号をレシーバ５０に出力する。
【００１１】
無線部７０は、アンテナ８０を介して受信した受信信号を復調信号に変換して音声処理部６０に出力する一方、音声処理部６０からの送信信号を変調して変調信号をアンテナ８０を介して送信する。メモリ９１は、メモリダイヤル９１とともに、制御部１００のコンピュータプログラムを保持する。但し、メモリダイヤル９１としては、宛先の名前、電話番号が保持されている。
【００１２】
制御部１００は、マイクロコンピュータ等から構成されて、電話発着信処理、メール作成送信処理（メーラー）等を行う。制御部１００は、図３に示すフロチャートに従って、メール作成送信処理を行う。先ず、待ち受け中において、セットキー（Ｓ）２２が押下されたとき、メール作成送信処理を開始する（ステップ２００）。
【００１３】
次に、テンキー２５ａ〜２５ｋへの押下に応じてキーワードを入力され、このキーワードに基づきメールの宛先の電話番号をメモリダイヤル９１を参照して検索し（ステップ２１０）、検索結果を、図４に示すように、表示部３０に表示させる。ここで、上向きキー２１ａ或いは下向きキー２１ｂへの押下に応じてカーソル３０ａを移動させとともに、表示部３０のうち下方には「09022225555」と示すようにカーソル３０ａによって指示される宛先の電話番号を表示する。
【００１４】
次に、上向きキー２１ａ或いは下向きキー２１ｂへの押下に応じて所望の宛先の電話番号を選択し（ステップ２２０）、選択された電話番号を宛先として、電話の発信及びメール送信の双方の一方を選択する（ステップ２３０）。ここで、「▲１▼電話発信、▲２▼メール作成送信」という内容を表示部３０に表示させる。
【００１５】
次に、テンキー「２」２５ｂが押下されたとき、ステップ２４０に進んで、メールのメッセージ入力処理を行う（ステップ２４０）。ここで、テンキー２５ａ〜２５ｋへの押下に応じて、メッセージが入力されることになる。その後、セットキー（Ｓ）２２が押下されたとき、当該メールの送信処理を行う（ステップ２５０）。これにより、無線部７０によってメールを示す送信信号を変調して変調信号をアンテナ８０を介して基地局に送信することになる。
【００１６】
次に、ステップ２３０で、テンキー「１」２５ａが押下されたとき、選択された電話番号を宛先として電話の発信処理を行う。これにより、無線部７０は、音声処理部６０からの送信信号を変調して変調信号をアンテナ８０を介して基地局に送信する一方、基地局からアンテナ８０を介して受信した受信信号を復調信号に変換して音声処理部６０に出力する。すなわち、通話回線が接続することになる。
【００１７】
以上により、メール作成送信処理を開始させた後、表示パネル３０にメールの宛先の電話番号を表示させているとき、その電話番号を宛先として電話の発信を行うことができるので、電話の発信の為の操作性を向上することができる。
【００１８】
なお、上記第実施形態では、携帯電話を適用した例につき説明したが、これに限らず、ＰＨＳ、若しくは有線電話等の電話機に適用してもよい。
【図面の簡単な説明】
【図１】本発明の実施形態に係る携帯電話の正面図である。
【図２】上記携帯電話の電気回路構成を示すブロック図である。
【図３】図２に示す制御部の作動を示すフロチャートを示す図である。
【図４】上記実施形態の作動を説明するための表示部３０の表示を示す図である。
【符号の説明】
２１ａ…上向きキー、２１ｂ…下向きキー、３０…表示部、３０ａ…カーソル
９１…メモリダイヤル、１００…制御部。
【図１】
0004134483.tif 000002
【図２】
0004134483.tif 000003
【図３】
0004134483.tif 000004
【図４】
0004134483.tif 000005